Podtech/llm-jp-corpus-v4-ja_patent huggingface dataset:
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
車両（２００，２００ｂ）であって、
走路（ＲＳ）に敷設される送電装置（１００）から電力を受電する受電装置（２０５）と、
内燃機関または燃料電池を用いた発電部から供給される電力（Ｅ２１，Ｅ２１ｂ）と、前記受電装置を介して供給される電力（Ｅ１）とによって充電される車両電源（２３０）と、
前記受電装置が前記送電装置から電力を受電する場合に、前記発電部を制御して、前記発電部を駆動させることによって発生する前記発電部から前記車両電源に供給される電力を低減させる車両制御装置（２９０）と、を備える、
車両。
【請求項２】
請求項１に記載の車両であって、
前記車両制御装置は、前記受電装置が前記送電装置から電力を受電する場合に、前記発電部から前記車両電源に供給される電力が、下記式（１）によって求められる発電用容量ＥＣ１以下になるように前記発電部を制御する、
車両。
ＥＣ１＝Ｅｍａｘ−Ｅ１  ・・・式（１）
Ｅｍａｘ：車両制御装置によって設定される車両電源に充電し得る電力の最大値
Ｅ１：送電装置から受電装置を介して受電し得る電力
【請求項３】
請求項２に記載の車両であって、
前記Ｅ１の値が前記Ｅｍａｘ以上である場合、前記車両制御装置は、前記発電部を制御して、前記車両電源への電力の供給を停止させる、
車両。
【請求項４】
請求項２または請求項３に記載の車両であって、
更に、前記車両電源から走行用電力（Ｅ２２）を供給される駆動モータ（２４０）を備え、
前記受電装置が前記送電装置から電力を受電する場合であって、さらに、前記駆動モータが前記車両の減速時に前記車両電源を充電する回生電力（Ｅ２０）を発生させる場合には、前記車両制御装置は、前記発電部から前記車両電源に供給される電力が下記式（２）によって求められる発電用容量ＥＣ２以下になるように前記発電部を制御する、
車両。
ＥＣ２＝ＥＣ１−Ｅ２０  ・・・式（２）
【請求項５】
請求項４に記載の車両であって、
前記Ｅ２０の値が前記ＥＣ１以上である場合、前記車両制御装置は、前記発電部を制御して、前記車両電源への電力の供給を停止させる、
車両。
【手続補正２】
【補正対象書類名】明細書
【補正対象項目名】０００５
【補正方法】変更
【補正の内容】
【０００５】
本開示は、以下の形態として実現することが可能である。
［形態１］
本開示の一形態によれば、本開示の一形態によれば、車両（２００，２００ｂ）が提供される。この車両は、走路（ＲＳ）に敷設される送電装置（１００）から電力を受電する受電装置（２０５）と、内燃機関または燃料電池を用いた発電部から供給される電力（Ｅ２１，Ｅ２１ｂ）と、前記受電装置を介して供給される電力（Ｅ１）とによって充電される車両電源（２３０）と、前記受電装置が前記送電装置から電力を受電する場合に、前記発電部を制御して、前記発電部を駆動させることによって発生する前記発電部から前記車両電源に供給される電力を低減させる車両制御装置（２９０）と、を備える。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
筒状本体の入口から径を漸減させる入口部と、該入口部に連続するオリフィスと、該オリフィスに連続する拡径部とが順次形成されるファインバルブ発生装置であって、
前記オリフィスの出口周壁は半径方向立面とされ、
前記拡径部は、前記オリフィスの中心線の延長先にある出口のみで開放され、
前記出口周壁に凹部が形成される、
ファインバブル発生装置。
【請求項２】
前記出口周壁は、前記オリフィスの軸に対して垂直方向（±２０度）に形成される、請求項１に記載のファインバブル発生装置。
【請求項３】
前記拡径部の内周面には、周方向に連続的な若しくは断続的な第２の凹部又は凸部が形成される、請求項１又は２のいずれかに記載のファインバルブ発生装置。
【請求項４】
前記凹部は前記オリフィスの出口の周壁において、前記オリフィスの中心をその中心として、周方向にかつ半径方向に均等分配されている、請求項１〜３のいずれかに記載のファインバブル発生装置。
【請求項５】
前記拡径部の径は前記オリフィスの径の３〜１０倍である、請求項１〜４のいずれかに記載のファインバブル発生装置。
【請求項６】
請求項１〜５のいずれかに記載のファインバブル発生装置と該ファインバブル発生装置に水を供給する水供給部とを備えてなる、水処理装置。
【請求項７】
前記ファインバブル発生処理装置発生した前記ファインバブルを除去するファインバブル除去器が更に備えられる請求項６に記載の水処理装置。
【請求項８】
請求項１〜５のいずれかに記載のファインバブル発生装置を準備するステップと、
前記入口部へ水を供給するステップと、からなる水処理方法。
【請求項９】
前記オリフィスの出口側から排出された水に含まれるファインバブルを除去する、請求項８に記載の水処理方法。
【請求項１０】
水を準備するステップと、
該水を請求項１〜５のいずれかに記載のファインバブル発生装置で処理するステップと、を備えてなるファインバブル水の製造方法。
【請求項１１】
請求項１０で製造されたファインバブル水を準備するステップと、
前記ファインバブル水から一部又は全部のファインバブルを除去するステップと、を備えてなる水の製造方法。
【請求項１２】
請求項１０で製造されたファインバブル水を含む、洗浄剤、殺菌剤、消毒剤、医薬材、食料材、又は化粧材。
【請求項１３】
請求項１１で製造された水を含む、洗浄剤、殺菌剤、消毒剤、医薬材、食料材、化粧材、建築材、土木剤、肥料材、又はエマルジョンの溶媒。
【手続補正２】
【補正対象書類名】明細書
【補正対象項目名】００３９
【補正方法】変更
【補正の内容】
【００３９】
以下、次の事項を開示する。
（Ａ）
筒状本体の入口から径を漸減させる入口部と、該入口部に連続するオリフィスと、該オリフィスに連続する拡径部とが順次形成されるファインバルブ発生装置であって、
前記オリフィスと拡径部との境界の半径方向立面に、前記オリフィスの中心をその中心として周方向にかつ半径方向に均等に分配された第１の凹部が形成され、
前記拡径部の内周面には、周方向に連続的な若しくは断続的な、第２の凹部又は凸部が形成される、ファインバルブ発生装置。
（Ｂ）
水流を均等に圧縮する周壁を有する水流圧縮部と、該水流圧縮部の下流側に形成されて、前記水流圧縮部より大径な水流解放部とを備え、前記水流解放部には、前記水流と逆方向に凹んだ第１の凹部が形成され、前記水流圧縮部から前記水流解放部に放出された水流の圧力に比べ、前記第１の凹部内の圧力が小さい、水処理装置。
（Ｃ）
前記第１の凹部の圧力は前記水流解放部の中心の圧力の１／１０〜１／１００である、（Ｂ）に記載の水処理装置。
（Ｄ）
前記水流解放部の内周面には半径周方向に第２の凹部が形成され、該第２の凹部内の圧力は前記第１の凹部内の圧力より大きく、かつ前記水流解放部の中心の圧力より小さい、（Ｂ）に記載の水処理装置。
（Ｅ）
前記水流解放部の内周面には周方向に連続した若しくは断続的な凹部。又は周方向に連続した若しくは断続的な凸部が形成されて、前記水流圧縮部から放出された水流を撹拌する、（Ｂ）に記載の水処理装置。
（Ｆ）
前記水流解放部から放出された水流からファインバルブを除去する装置が更に備えられる、請求項（Ｂ）〜（Ｅ）の何れかに記載の水処理装置。
（１）
オリフィスを有する筒状のファインバブル発生装置であって、
オリフィスの出口の周壁に凹部が形成される、ファインバブル発生装置。
（２）
前記凹部は前記オリフィスの出口の周壁において、前記オリフィスの中心をその中心として、周方向にかつ半径方向に均等分配されている、ファインバルブ発生装置。
（３）
前記オリフィスの出口周壁は該オリフィスの軸に対して垂直方向に形成されている、（１）又は（２）に記載のファインバブル発生装置。
（４）
前記オリフィスの入口に向かって径を漸減させる入口部が前記オリフィスの入口側に形成され、拡径部が前記オリフィスの出口側に形成され、前記拡径部の内周面には、周方向へ連続的な若しくは断続的な、第２の凹部又凸部が形成される、（１）〜（３）の何れかに記載のファインバブル発生装置。
（５）
筒状本体の入口から径を漸減させる入口部と、該入口部に連続するオリフィスと、該オリフィスに連続する拡径部とが順次形成されるファインバルブ発生装置であって、
前記オリフィスと前記拡径部との境界は半径方向立面とされ、
前記拡径部の径は前記オリフィスの径の３〜１０倍である、
前記拡径部はその出口のみで解放される、ファインバブル発生装置。
（６）
前記境界は、前記オリフィスの軸に対して垂直方向（±２０度）に形成されたたオリフィス出口周壁からなる、（５）に記載のファインバブル発生装置。
（７）
前記出口周壁に凹部が形成される、（５）又は（６）に記載のファインバブル発生装置。
（８）
前記拡径部の内周面には、周方向に連続的な若しくは断続的な第２の凹部又は凸部が形成される、（５）又は（７）のいずれかに記載のファインバルブ発生装置。
（９）
（１）〜（８）のいずれかに記載のファインバブル発生装置と該ファインバブル発生装置に水を供給する水供給部とを備えてなる、水処理装置。
（１０）
前記ファインバブル発生装置で発生した前記ファインバブルを除去するファインバブル除去器が更に備えられる水処理装置。
（１１）
（１）〜（８）のいずれかに記載のファインバブル発生装置の前記オリフィスの入口側へ水を供給する、水処理方法。
（１２）
前記オリフィスの出口側から排出された水に含まれるファインバブルを除去する、（１１）に記載の水処理方法。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
車両（３）のインパネ（３３）に設けられた表示デバイス（２７）を制御する表示デバイス制御装置（１）であって、
前記車両の状態を取得するように構成された状態取得ユニット（９）と、
前記車両の状態に応じて、前記表示デバイスが備える表示部（２９）の傾きを設定するように構成された傾き設定ユニット（１１）と、
を備え、
前記車両の状態として、手動運転の状態、及び自動運転の状態が存在し、
前記傾き設定ユニットは、前記車両の状態が自動運転の状態の場合は、前記車両の状態が手動運転の状態の場合に比べて、前記表示部の前端（２９Ａ）が高くなる方向での前記表示部の傾きを大きくするように構成された表示デバイス制御装置。
【請求項２】
請求項１に記載の表示デバイス制御装置であって、
前記車両の状態が手動運転の状態の場合、前記車両の走行状態、又は、前記車両の機能の動作状態を表す情報を、前記表示部のうち、前記車両のドライバの視線方向の入射角が最小となる部分に表示するように構成された情報表示ユニットをさらに備える表示デバイス制御装置。
【請求項３】
車両（３）のインパネ（３３）に設けられた表示デバイス（２７）を制御する表示デバイス制御装置（１）であって、
前記車両の状態を取得するように構成された状態取得ユニット（９）と、
前記車両の状態に応じて、前記表示デバイスが備える表示部（２９）の傾きを設定するように構成された傾き設定ユニット（１１）と、
前記表示部の傾きが変化するとき、前記車両のドライバが両手でハンドルを把持しているか否かを判断するように構成された把持判断ユニットと、
前記ドライバが両手で前記ハンドルを把持していないと前記把持判断ユニットが判断した場合、報知を行うように構成された報知ユニットと、
を備える表示デバイス制御装置。
【請求項４】
車両（３）のインパネ（３３）に設けられた表示デバイス（２７）を制御する表示デバイス制御装置（１）であって、
前記車両のドライバの身体的特徴を取得するように構成された特徴取得ユニット（１３）と、
前記身体的特徴に応じて、前記表示デバイスが備える表示部（２９）の傾きを設定するように構成された傾き設定ユニット（１１）と、
前記表示部の傾きが変化するとき、前記車両のドライバが両手でハンドルを把持しているか否かを判断するように構成された把持判断ユニットと、
前記ドライバが両手で前記ハンドルを把持していないと前記把持判断ユニットが判断した場合、報知を行うように構成された報知ユニットと、
を備える表示デバイス制御装置。
【請求項５】
車両（３）のインパネ（３３）に設けられた表示デバイス（２７）を制御する表示デバイス制御装置（１）であって、
外光の照度を取得するように構成された照度取得ユニット（１５）と、
前記外光の照度に応じて、前記表示デバイスが備える表示部（２９）の傾きを設定するように構成された傾き設定ユニット（１１）と、
前記表示部の傾きが変化するとき、前記車両のドライバが両手でハンドルを把持しているか否かを判断するように構成された把持判断ユニットと、
前記ドライバが両手で前記ハンドルを把持していないと前記把持判断ユニットが判断した場合、報知を行うように構成された報知ユニットと、
を備える表示デバイス制御装置。
【請求項６】
車両（３）のインパネ（３３）に設けられた表示デバイス（２７）を制御する表示デバイス制御装置（１）であって、
前記車両の状態を取得するように構成された状態取得ユニット（９）と、
前記車両の状態に応じて、前記表示デバイスが備える表示部（２９）の傾きを設定するように構成された傾き設定ユニット（１１）と、
前記表示部の傾きが変化するとき、前記表示部の傾きを変化させる駆動源に加わる反力の大きさを取得するように構成された反力情報取得ユニットと、
前記反力情報取得ユニットが取得した前記反力の大きさが予め設定された閾値より大きい場合、前記表示部の傾きの変化を停止させるように構成された停止ユニットと、
を備える表示デバイス制御装置。
【請求項７】
車両（３）のインパネ（３３）に設けられた表示デバイス（２７）を制御する表示デバイス制御装置（１）であって、
前記車両のドライバの身体的特徴を取得するように構成された特徴取得ユニット（１３）と、
前記身体的特徴に応じて、前記表示デバイスが備える表示部（２９）の傾きを設定するように構成された傾き設定ユニット（１１）と、
前記表示部の傾きが変化するとき、前記表示部の傾きを変化させる駆動源に加わる反力の大きさを取得するように構成された反力情報取得ユニットと、
前記反力情報取得ユニットが取得した前記反力の大きさが予め設定された閾値より大きい場合、前記表示部の傾きの変化を停止させるように構成された停止ユニットと、
を備える表示デバイス制御装置。
【請求項８】
車両（３）のインパネ（３３）に設けられた表示デバイス（２７）を制御する表示デバイス制御装置（１）であって、
外光の照度を取得するように構成された照度取得ユニット（１５）と、
前記外光の照度に応じて、前記表示デバイスが備える表示部（２９）の傾きを設定するように構成された傾き設定ユニット（１１）と、
前記表示部の傾きが変化するとき、前記表示部の傾きを変化させる駆動源に加わる反力の大きさを取得するように構成された反力情報取得ユニットと、
前記反力情報取得ユニットが取得した前記反力の大きさが予め設定された閾値より大きい場合、前記表示部の傾きの変化を停止させるように構成された停止ユニットと、
を備える表示デバイス制御装置。
【手続補正書】
【提出日】令和3年4月28日(2021.4.28)
【手続補正１】
【補正対象書類名】特許請求の範囲
【補正対象項目名】請求項１
【補正方法】変更
【補正の内容】
【請求項１】
ドライバに虚像として認識させる画像が投影される車両のフロントウインド中の領域を投影領域とし、前記投影領域を介して前記ドライバに視認される風景中に存在する対象物の情報を取得し、前記対象物の３次元位置情報に応じて、前記対象物に重畳する重畳画像の前記投影領域内での投影位置を設定するように構成された情報生成部（１０１）と、
複数の計測位置にて前記車両に加わる荷重状態の検出結果である荷重検出値を取得するように構成された荷重取得部（１０２：Ｓ１１０）と、
前記車両の車高について基準高さからの変位量の検出結果である車高変位量を取得するように構成された車高取得部（１０２：Ｓ１３０）と、
前記荷重状態に対応付けて用意された、前記車高変位量と前記車両のピッチ角との関係を表す複数種類の特性情報から、前記荷重取得部で取得された前記荷重検出値に応じた前記特性情報を選択するように構成された特性選択部（１０２：Ｓ１２０）と、
前記特性選択部にて選択された前記特性情報を用いて、前記車高取得部にて取得された前記車高変位量から、前記ピッチ角を算出するように構成されたピッチ角算出部（１０２：Ｓ１５０）と、
前記ドライバの眼の位置について基準眼位置からのずれ量の検出結果である眼情報を取得するように構成された眼情報取得部（１０２：Ｓ１６０）と、
前記ドライバによって視認される前記重畳画像が前記対象物に重畳表示されるように、前記ピッチ角および前記眼情報の両方に従って、前記情報生成部が設定する前記重畳画像の投影位置を補正するように構成された補正処理部（１０２：Ｓ１７０）と、
を備え、
前記情報生成部は、前記基準眼位置（Ｅ０）と前記対象物（Ｏ）を結ぶ線と、前記投影領域（Ｄ０）とが交差する位置を投影位置（Ｐａ）として設定し、
前記補正処理部は、前記基準眼位置（Ｅ０），虚像として結像される光が出射される位置である出射位置（Ｓ０），前記投影領域（Ｄ０）を、それぞれ、前記車両の重心である車両重心（Ｊ）を中心に前記ピッチ角に応じて回転移動させ、かつ、前記車両重心（Ｊ）と回転移動後の基準眼位置（Ｅ１）とを結ぶ方向に、前記回転移動後の基準眼位置（Ｅ１）を前記眼情報に応じてシフトさせ、シフト後の基準眼位置（Ｅ２）と前記対象物（Ｏ）を結ぶ線と、回転移動後の投影領域（Ｄ１）とが交差する位置が補正後の投影位置（Ｐｂ）となるように前記情報生成部で生成される投影位置（Ｐａ）を補正する
表示制御装置。
【手続補正書】
【提出日】令和3年5月14日(2021.5.14)
【手続補正１】
【補正対象書類名】特許請求の範囲
【補正対象項目名】請求項６
【補正方法】変更
【補正の内容】
【請求項６】
前記透過率制御部（Ｓ８２０，Ｓ９４０）は、前記透過率を上げる場合に、前記ウィンドシールドディスプレイの前記目対応領域以外の領域の前記透過率を固定値よりも上げるように構成されており、
前記固定値は、前記照度が前記設定値に到達したことに応じて、前記目対応領域の前記透過率が固定される値に相当する、
請求項５に記載の車両用表示制御装置。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
凹部を有するダイ、凸部を有するパンチ、該凹部の輪郭に一致する形状の貫通口を有し且つ該ダイと該パンチとの間に配される第１部材を備え、該ダイ及び該第１部材の間に配された金属製の板材に対して、該凸部を該貫通口及び該凹部に挿通してプレス成形する成形金型であって、
前記第１部材は、前記貫通口の周縁部に前記凸部よりも低く隆起する隆起部を有し、
前記ダイは、前記隆起部に嵌合し且つ前記凹部よりも浅く窪んだ凹陥部を該凹部の周縁部に有し、
前記成形金型は、前記隆起部及び前記凹陥部から外方に、前記第１部材と前記ダイとの間隔を、前記金属製の板材の厚み以上に調整する第２部材を有している、成形金型。
【請求項２】
前記金属製の板材を前記ダイと前記第１部材とで挟んだときに、前記第２部材によって該第１部材と該ダイとの間の距離を該金属製の板材の厚み以上に調整しつつ、前記凹陥部と前記隆起部とを嵌合させ該金属製の板材を変形させて該金属製の板材の周縁部に仮屈曲部を形成するようになされており、
前記凸部を前記貫通口及び前記凹部に挿通して前記金属製の板材をプレス成形するときには、先ず前記隆起部に前記仮屈曲部を係合させ、該金属製の板材における該仮屈曲部から外方部分の前記凹部側への移動を防ぎながらプレス成形するようになされており、
その後、前記凹陥部よりも深くプレス成形するときには、前記仮屈曲部を延ばしながら前記隆起部から内方に前記金属製の板材の周縁部を越えさせ、該周縁部を前記凹部内に流入させつつプレス成形するようになされている、請求項１に記載の成形金型。
【請求項３】
凹部を有するダイ、凸部を有するパンチ、該凹部の輪郭に一致する形状の貫通口を有し且つ該ダイと該パンチとの間に配される第１部材を備え、
前記第１部材は、前記貫通口の周縁部に前記凸部よりも低く隆起する隆起部を有し、
前記ダイは、前記隆起部に嵌合し且つ前記凹部よりも浅く窪んだ凹陥部を該凹部の周縁部に有し、
前記隆起部及び前記凹陥部から外方に、前記第１部材と前記ダイとの間の距離を調整する第２部材を有する成形金型を用いるプレス成形方法であって、
金属製の板材を前記ダイと前記第１部材とで挟んだときに、前記第２部材によって該第１部材と該ダイとの間の距離を該金属製の板材の厚み以上に調整しつつ、前記凹陥部と前記隆起部とを嵌合させ該金属製の板材を変形させて該金属製の板材の周縁部に仮屈曲部を形成する工程と、
前記凸部を前記貫通口及び前記凹部に挿通して前記金属製の板材をプレス成形するときには、先ず前記隆起部に前記仮屈曲部を係合させ、該金属製の板材における該仮屈曲部から外方部分の前記凹部側への移動を防ぎながらプレス成形し、
その後、前記凹陥部よりも深くプレス成形するときには、前記仮屈曲部を延ばしながら前記隆起部から内方に前記金属製の板材の周縁部を越えさせ、該周縁部を前記凹部内に流入させつつプレス成形する工程とを備える、プレス成形方法。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
無水ベースで、
５５ｗｔ％以上の全炭素；
５ｗｔ％以下の水素；
１ｗｔ％以下の窒素；
０．５ｗｔ％以下のリン；
０．２ｗｔ％以下の硫黄；および
金属、金属酸化物、金属水酸化物、金属ハロゲン化物、またはそれらの組合せから選択された添加剤
を含む、高炭素生体試薬。
【請求項２】
前記添加剤が、マグネシウム、マンガン、アルミニウム、ニッケル、クロム、ケイ素、ホウ素、セリウム、モリブデン、リン、タングステン、バナジウム、ハロゲン化鉄、塩化鉄、臭化鉄、酸化マグネシウム、ドロマイト、ドロマイト石灰、蛍石、ホタル石、ベントナイト、酸化カルシウム、石灰、およびそれらの組合せから成るグループから選択される、請求項１に記載の高炭素生体試薬。
【請求項３】
無水ベースで、
５５ｗｔ％以上の全炭素；
５ｗｔ％以下の水素；
１ｗｔ％以下の窒素；
０．５ｗｔ％以下のリン；
０．２ｗｔ％以下の硫黄；および
酸またはその塩、あるいは塩基またはその塩から選択された添加剤
を含む、高炭素生体試薬。
【請求項４】
前記添加剤が、水酸化ナトリウム、水酸化カリウム、酸化マグネシウム、臭化水素酸、塩化水素、ケイ酸ナトリウム、過マンガン酸カリウム、およびそれらの組合せから成るグループから選択される、請求項３に記載の高炭素生体試薬。
【請求項５】
無水ベースで、
５５ｗｔ％以上の全炭素；
５ｗｔ％以下の水素；
１ｗｔ％以下の窒素；
０．５ｗｔ％以下のリン；
０．２ｗｔ％以下の硫黄； 
金属、金属酸化物、金属水酸化物、金属ハロゲン化物、またはそれらの組合せから選択された第１の添加剤；および
酸、塩基、またはその塩から選択された第２の添加剤
を含む、高炭素生体試薬であって、
前記第１の添加剤は前記第２の添加剤と異なる、高炭素生体試薬。
【請求項６】
前記第１の添加剤が、マグネシウム、マンガン、アルミニウム、ニッケル、クロム、ケイ素、ホウ素、セリウム、モリブデン、リン、タングステン、バナジウム、ハロゲン化鉄、塩化鉄、臭化鉄、酸化マグネシウム、ドロマイト、ドロマイト石灰、蛍石、ホタル石、ベントナイト、酸化カルシウム、石灰、およびそれらの組合せから成るグループから選択され、前記第２の添加剤が、水酸化ナトリウム、水酸化カリウム、酸化マグネシウム、臭化水素酸、塩化水素、ケイ酸ナトリウム、過マンガン酸カリウム、およびそれらの組合せから成るグループから独立して選択される、請求項５に記載の高炭素生体試薬。
【請求項７】
無水ベースで、少なくとも７０ｗｔ％の全炭素を含む、請求項１〜６のいずれか一項に記載の高炭素生体試薬。
【請求項８】
無水ベースで、少なくとも８０ｗｔ％の全炭素を含む、請求項７に記載の高炭素生体試薬。
【請求項９】
無水ベースで、少なくとも９０ｗｔ％の全炭素を含む、請求項８に記載の高炭素生体試薬。
【請求項１０】
無水ベースで、少なくとも９５ｗｔ％の全炭素を含む、請求項９に記載の高炭素生体試薬。
【請求項１１】
基本的に、無水ベースで、炭素、水素、酸素、窒素、リン、硫黄、不燃物、ならびにマグネシウム、マンガン、アルミニウム、ニッケル、クロム、ケイ素、ホウ素、セリウム、モリブデン、リン、タングステン、バナジウム、ハロゲン化鉄、塩化鉄、臭化鉄、酸化マグネシウム、ドロマイト、ドロマイト石灰、蛍石、ホタル石、ベントナイト、酸化カルシウム、石灰、およびそれらの組合せから成るグループから選択された添加剤から成る、高炭素生体試薬。
【請求項１２】
基本的に、無水ベースで、炭素、水素、窒素、リン、硫黄、不燃物、ならびに水酸化ナトリウム、水酸化カリウム、酸化マグネシウム、臭化水素酸、塩化水素、ケイ酸ナトリウム、過マンガン酸カリウム、およびそれらの組合せから成るグループから選択された添加剤から成る、高炭素生体試薬。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
枠状に形成され、車両のグリル開口部から導入される空気が枠内の空間を流れるフレーム（２０）と、
前記フレームにより回転可能に支持され、前記フレームの枠内の空間を開閉する複数のブレード（３１，３２）と、
前記フレームに沿って配置され、複数の前記ブレードのそれぞれの一端部に連結されるリンク部材（６０）と、
前記フレームに沿った方向である所定方向に前記リンク部材を前記フレームに対して相対変位させることにより複数の前記ブレードの一端部に回転力を付与して、複数の前記ブレードを開閉動作させるアクチュエータ装置（４０）と、を備え、
前記リンク部材及び前記フレームのいずれか一方には、嵌合部（６２，６３，２３０）が形成され、
前記リンク部材及び前記フレームのいずれか他方には、前記嵌合部が嵌合可能な被嵌合部（６１，２３１，２３３）が形成され、
前記嵌合部及び前記被嵌合部からなる嵌合構造により、前記リンク部材が前記フレームに対して前記所定方向に相対変位可能に組み付けられ、
前記フレームには、前記嵌合部として、前記リンク部材に向かって突出する爪部（２３０）が形成され、
前記リンク部材には、前記被嵌合部として、前記フレームに向かって突出するように形成され、且つ前記リンク部材が前記フレームに対して前記所定方向に相対変位可能なように前記爪部が嵌合する被嵌合部（６１）が形成されている
車両のシャッタ装置。
【請求項２】
前記嵌合構造は、前記リンク部材と前記フレームとの間に形成される隙間に配置されている
請求項１に記載の車両のシャッタ装置。
【請求項３】
前記被嵌合部の前記所定方向の長さは、前記嵌合部の前記所定方向の長さよりも長くなっている
請求項１又は２に記載の車両のシャッタ装置。
【手続補正２】
【補正対象書類名】明細書
【補正対象項目名】０００９
【補正方法】変更
【補正の内容】
【０００９】
上記課題を解決する車両のシャッタ装置は、フレーム（２０）と、複数のブレード（３０）と、リンク部材（６０）と、アクチュエータ装置（４０）と、を備える。フレームは、枠状に形成され、車両のグリル開口部から導入される空気が枠内の空間を流れる。ブレードは、フレームにより回転可能に支持され、フレームの枠内の空間を開閉する。リンク部材は、フレームに沿って配置され、複数のブレードのそれぞれの一端部に連結される。アクチュエータ装置は、フレームに沿った方向である所定方向にリンク部材をフレームに対して相対変位させることにより複数のブレードの一端部に回転力を付与して、複数のブレードを開閉動作させる。リンク部材及びフレームのいずれか一方には、嵌合部（２３０，６２，６３）が形成される。リンク部材及びフレームのいずれか他方には、嵌合部が嵌合可能な被嵌合部（６１，２３１，２３３）が形成される。嵌合部及び被嵌合部からなる嵌合構造により、リンク部材がフレームに対して所定方向に相対変位可能に組み付けられている。フレームには、嵌合部として、リンク部材に向かって突出する爪部（２３０）が形成されている。リンク部材には、被嵌合部として、フレームに向かって突出するように形成され、且つリンク部材がフレームに対して所定方向に相対変位可能なように爪部が嵌合する被嵌合部（６１）が形成されている。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
表示する画像を表す直線偏光の表示光を照射するように構成された偏光照射部（２）と、
予め設定された第１偏光方向の成分の光を反射し、前記第１偏光方向と直交する第２偏光方向の成分の光を吸収するように構成された偏光反射部（３）とを備え、
前記偏光反射部は、ガラス板（１１）と、前記ガラス板の表面に形成されたミラーコート層（１２）と、前記ミラーコート層を挟んで前記ガラス板が配置されているのとは反対側に配置される偏光板（１３）とを備え、
前記偏光反射部は、前記偏光照射部から照射される前記表示光の偏光方向が前記第１偏光方向と一致するように配置され、且つ、前記表示光が入射する入射面を前記表示光の照射方向に対して斜めに傾けた状態で配置される表示装置（１）。
【請求項２】
請求項１に記載の表示装置であって、
車両に搭載される表示装置。
【請求項３】
請求項２に記載の表示装置であって、
前記表示光は、Ｓ偏光の光である表示装置。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
運転者が後方を確認するために車両（１０）の車室内の前方上部に搭載される電子ミラーを構成する、表示体（２１）と、
前記車両のルーフ部に設けられ、前記表示体を収納する収納部（２３）と、
前記表示体を、前記車両のフロントガラス（１２）の内側の面に沿う方向であって、前記車両における前後方向であるスライド方向にスライドするスライド装置（２４）と、を備え、
前記スライド装置は、
前記車両の前記ルーフ部に沿った前記車両の前後方向に伸縮運動する直動式のアクチュエータ（３０）と、
前記アクチュエータと前記表示体とを連結する連結機構（３１）と、を備え、
前記連結機構は、連結された複数の回転体（３１１）が前記収納部内を転動することにより、前記アクチュエータによる前後方向の運動を、前記スライド方向の運動に変えるように構成されており、
前記収納部は、前記アクチュエータの伸縮する部分が通過するように構成された直動部（３２１）と、前記直動部から前記車両の前方に向けて湾曲して伸び、前記表示体を、前記車両のフロントガラスの内側の面に沿うように案内するように構成された、湾曲部（３２２）とを有し、
前記複数の回転体は、前記アクチュエータの伸縮運動に伴い、前記収納部の前記湾曲部内を転動するように構成されている、電子ミラー装置（２０）。
【請求項２】
前記表示体が最大にスライドした場合に、前記表示体における前記収納部内にとどまっている部分の、前記スライド方向における長さが、前記表示体における前記収納部からせり出している部分の、前記スライド方向における長さよりも、長くなるように構成されている、請求項１に記載の電子ミラー装置。
【手続補正書】
【提出日】令和3年6月8日(2021.6.8)
【手続補正１】
【補正対象書類名】特許請求の範囲
【補正対象項目名】請求項１
【補正方法】変更
【補正の内容】
【請求項１】
電気自動車である車両（３００、３０２）に搭載され、前記車両に搭載されたバッテリ（３１０）から電力供給を受けて動作し、前記車両の周辺を継続的に撮像可能な撮像装置（３２１）と、
前記車両の駐車中に前記撮像装置により撮像された画像である駐車中画像を表す画像データを取得し、その取得した画像データを活用して前記車両の周辺の状況に関連する所定の処理を実行する処理装置（６００、６０１、６０２）と、
を備える駐車中画像活用システム。
【手続補正２】
【補正対象書類名】明細書
【補正対象項目名】０００６
【補正方法】変更
【補正の内容】
【０００６】
請求項１に記載の駐車中画像活用システムは、撮像装置（３２１）および処理装置（６００、６０１、６０２）を備える。撮像装置は、電気自動車である車両（３００、３０２）に搭載され、前記車両に搭載されたバッテリ（３１０）から電力供給を受けて動作し、前記車両の周辺を継続的に撮像可能なものである。処理装置は、前記車両の駐車中に前記撮像装置により撮像された画像である駐車中画像を表す画像データを取得し、その取得した画像データを活用して前記車両の周辺の状況に関連する所定の処理を実行する。このような構成によれば、車両の駐車中に撮像された画像を有効に利用することができるという優れた効果が得られる。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
複数段階の段階情報を表示可能な段階情報表示手段と、
その段階情報表示手段に表示される前記段階情報を可変させることが可能な段階情報可変手段と、
その段階情報可変手段により前記段階情報を可変させるための可変演出を複数回実行可能な期間を少なくとも含む演出期間にて実行される期間演出を実行可能な期間演出実行手段と、
その期間演出実行手段により実行される前記期間演出の演出態様を設定可能な期間演出設定手段と、を有した遊技機において、
前記期間演出設定手段は、
少なくとも前記可変演出を実行可能な第１期間における第１期間演出の演出態様を設定可能な第１期間演出設定手段と、
前記第１期間よりも後であって、少なくとも前記可変演出を実行可能な第２期間における第２期間演出の演出態様を設定可能な第２期間演出設定手段と、を有し、
前記遊技機は、
前記複数段階の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、
そのシナリオ記憶手段に記憶されている複数のシナリオの中から所定のシナリオを決定可能なシナリオ決定手段と、を有し、
前記第１期間演出設定手段は、前記シナリオ決定手段により決定された前記所定のシナリオに基づいて前記第１期間演出の演出態様を設定可能であり、
前記第２期間演出設定手段は、前記第１期間演出中に実行された前記可変演出に対応した前記第２期間演出の演出態様を設定可能であることを特徴とする遊技機。
【手続補正２】
【補正対象書類名】明細書
【補正対象項目名】０００２
【補正方法】変更
【補正の内容】
【０００２】
パチンコ機等の遊技機において、表示装置において図柄の変動表示が行われ、図柄が予め定められた組み合わせで停止表示されることで、遊技者に有利な大当たり遊技が付与される。また、表示装置には、図柄以外にもキャラクタや風景等の様々な画像が表示される。これにより、表示内容を多様化し、興趣向上を図っていた。
【手続補正３】
【補正対象書類名】明細書
【補正対象項目名】０００６
【補正方法】変更
【補正の内容】
【０００６】
この目的を達成するために請求項１記載の遊技機は、複数段階の段階情報を表示可能な段階情報表示手段と、その段階情報表示手段に表示される前記段階情報を可変させることが可能な段階情報可変手段と、その段階情報可変手段により前記段階情報を可変させるための可変演出を複数回実行可能な期間を少なくとも含む演出期間にて実行される期間演出を実行可能な期間演出実行手段と、その期間演出実行手段により実行される前記期間演出の演出態様を設定可能な期間演出設定手段と、を有し、前記期間演出設定手段は、少なくとも前記可変演出を実行可能な第１期間における第１期間演出の演出態様を設定可能な第１期間演出設定手段と、前記第１期間よりも後であって、少なくとも前記可変演出を実行可能な第２期間における第２期間演出の演出態様を設定可能な第２期間演出設定手段と、を有し、前記遊技機は、前記複数段階の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、そのシナリオ記憶手段に記憶されている複数のシナリオの中から所定のシナリオを決定可能なシナリオ決定手段と、を有し、前記第１期間演出設定手段は、前記シナリオ決定手段により決定された前記所定のシナリオに基づいて前記第１期間演出の演出態様を設定可能であり、前記第２期間演出設定手段は、前記第１期間演出中に実行された前記可変演出に対応した前記第２期間演出の演出態様を設定可能である。
【手続補正４】
【補正対象書類名】明細書
【補正対象項目名】００１０
【補正方法】変更
【補正の内容】
【００１０】
請求項１記載の遊技機によれば、複数段階の段階情報を表示可能な段階情報表示手段と、その段階情報表示手段に表示される前記段階情報を可変させることが可能な段階情報可変手段と、その段階情報可変手段により前記段階情報を可変させるための可変演出を複数回実行可能な期間を少なくとも含む演出期間にて実行される期間演出を実行可能な期間演出実行手段と、その期間演出実行手段により実行される前記期間演出の演出態様を設定可能な期間演出設定手段と、を有し、前記期間演出設定手段は、少なくとも前記可変演出を実行可能な第１期間における第１期間演出の演出態様を設定可能な第１期間演出設定手段と、前記第１期間よりも後であって、少なくとも前記可変演出を実行可能な第２期間における第２期間演出の演出態様を設定可能な第２期間演出設定手段と、を有し、前記遊技機は、前記複数段階の段階情報のうち、第１段階情報から、その第１段階情報とは異なる第２段階情報へと可変される過程として、第１過程に対応する第１シナリオと、その第１過程とは異なる第２過程に対応する第２シナリオと、を少なくとも含む複数のシナリオが記憶されているシナリオ記憶手段と、そのシナリオ記憶手段に記憶されている複数のシナリオの中から所定のシナリオを決定可能なシナリオ決定手段と、を有し、前記第１期間演出設定手段は、前記シナリオ決定手段により決定された前記所定のシナリオに基づいて前記第１期間演出の演出態様を設定可能であり、前記第２期間演出設定手段は、前記第１期間演出中に実行された前記可変演出に対応した前記第２期間演出の演出態様を設定可能である。
【手続補正５】
【補正対象書類名】明細書
【補正対象項目名】００１１
【補正方法】変更
【補正の内容】
【００１１】
よって、遊技者の遊技に対する興趣を向上させることができるという効果がある。
【手続補正６】
【補正対象書類名】明細書
【補正対象項目名】３８４１
【補正方法】変更
【補正の内容】
【３８４１】
１０                        パチンコ機（遊技機）
１１３ 音声ランプ制御装置１１３（期間演出実行手段）
２２２ｃａ 得点付与シナリオ選択テーブル（シナリオ記憶手段）
Ｓ２３０６ 期間演出設定手段
Ｓ２８５３ 第１期間演出設定手段
Ｓ２８５４ 第２期間演出設定手段
Ｓ７００８ 演出シナリオ決定手段
【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
腕にはめ込む事で弾性変形し、その長手方向に沿って開口部を有する断面C状の本体部と、前記本体部の長手方向内周に形成される螺旋状の凸部と、前記本体部の長手方向両端に形成されたC状の凸部とを有する事を特徴とする穿刺補助具。
【請求項２】
前記本体部の周方向の端部には、軟質素材からなる干渉部が形成されている事を特徴とする、請求項１に記載の穿刺補助具。
【請求項３】
前記本体部が前記腕に装着された事によって、前記開口部が維持され、前記開口部は穿刺する領域として用いられることを特徴とする、請求項１又は、請求項２に記載の穿刺補助具。
【請求項４】
前記螺旋状の凸部は、高さ0.2mm〜10mmの凸部からなることを特徴とする請求項１又は、請求項３のいずれか1項に記載の穿刺補助具。
【請求項５】
前記C状の凸部は、高さ0.2mm〜10mmの凸部からなることを特徴とする請求項１又は、請求項４のいずれか1項に記載の穿刺補助具。
【請求項６】
前記本体部の素材は皮膚より硬い素材であることを特徴とする、請求書１又は、請求項５のいずれか1項に記載の穿刺補助具。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
加熱されかつ加湿された呼吸ガスを患者に提供する呼吸加湿システムであって、
制御された液体流を提供する液体流量制御部と、
前記制御された液体流を受け取り、前記呼吸加湿システムを通るガスを加湿するように構成された加熱面を含む加熱システムと、
前記加熱面の表面温度を測定する１つまたは複数の温度センサと、
前記液体流量制御部に対して、前記加熱システムにおいて受け取られる前記制御された液体流を調節するように指示し、前記加熱システムに対して、前記加熱面の前記表面温度を調節するように指示することにより、前記呼吸加湿システムを通るガスの湿度レベルの決定論的制御を提供する１つまたは複数のハードウェアプロセッサであって、前記加熱面の前記表面温度を調節することにより、既知の気化領域を生成する制御が提供される、１つまたは複数のハードウェアプロセッサと、
前記加熱面が少なくとも１つの領域において湿潤しているか否かを検出するように構成された１つまたは複数のセンサと、
を備える呼吸加湿システム。
【請求項２】
前記１つまたは複数のセンサは、液体センサである、請求項１に記載の呼吸加湿システム。
【請求項３】
前記１つまたは複数のセンサが、前記加熱面が前記加熱面の２つ以上の領域において湿潤しているか否かを検出するように構成された少なくとも２つの液体センサを含む、請求項１または２に記載の呼吸加湿システム。
【請求項４】
前記１つまたは複数のセンサが、前記加熱面に、その上に、それに隣接して、または近接して配置されている、請求項１または２のいずれか一項に記載の呼吸加湿システム。
【請求項５】
前記液体流量制御部が計量システムを含む、請求項１または２のいずれか一項に記載の呼吸加湿システム。
【請求項６】
前記液体流量制御部が、開ループ構成におけるポンプである、請求項１または２のいずれか一項に記載の呼吸加湿システム。
【請求項７】
前記液体流量制御部が、閉ループ構成において流量センサと直列であるポンプまたは流れアクチュエータである、請求項１または２のいずれか一項に記載の呼吸加湿システム。
【請求項８】
前記加熱システムの一部を形成する少なくとも１つの温度センサをさらに備える、請求項１または２のいずれか一項に記載の呼吸加湿システム。
【請求項９】
前記少なくとも１つの温度センサが、液体で浸される前記加熱面の割合を求めるために利用される、請求項８に記載の呼吸加湿システム。
【請求項１０】
前記１つまたは複数のセンサが、前記加熱面の上に液体があふれるのを防止するために使用される、請求項１または２のいずれか一項に記載の呼吸加湿システム。
【請求項１１】
前記１つまたは複数のセンサが、前記１つまたは複数のハードウェアプロセッサにより、前記呼吸加湿システムを通るガスの前記湿度レベルの前記決定論的制御を調節するために使用される、請求項１または２のいずれか一項に記載の呼吸加湿システム。
【請求項１２】
前記１つまたは複数のセンサが、前記１つまたは複数のハードウェアプロセッサにより、前記加熱面の気化面積を調節するために使用される、請求項１または２のいずれか一項に記載の呼吸加湿システム。
【請求項１３】
前記１つまたは複数のセンサが温度センサである、請求項１または２のいずれか一項に記載の呼吸加湿システム。
【請求項１４】
前記１つまたは複数のセンサが抵抗センサまたは容量センサである、請求項１または２のいずれか一項に記載の呼吸加湿システム。
【請求項１５】
前記加熱システムは、マイクロチャネルを備える表面とオーバモールドされたプリント回路基板（ＰＣＢ）またはエッチング箔を備えるヒータプレートを含む、請求項１または２のいずれか一項に記載の呼吸加湿システム。
【請求項１６】
前記表面が、単一方向にのみ延在するマイクロチャネルを備える、請求項１５に記載の呼吸加湿システム。
【請求項１７】
前記マイクロチャネルが、主チャネルの第２組に接続された分散チャネルの第１組を含む、請求項１５に記載の呼吸加湿システム。
【請求項１８】
前記分散チャネルの数が前記主チャネルの数未満である、請求項１７に記載の呼吸加湿システム。
【請求項１９】
前記マイクロチャネルが単一点から放射状に分散されている、請求項１５に記載の呼吸加湿システム。
【請求項２０】
マイクロチャネルを備える表面とオーバモールドされたプリント回路基板（ＰＣＢ）またはエッチング箔を備える、呼吸加湿システム用のヒータプレート。
【請求項２１】
前記表面が、単一方向にのみ延在するマイクロチャネルを有する、請求項２０に記載のヒータプレート。
【請求項２２】
前記マイクロチャネルが、主チャネルの第２組に接続された分散チャネルの第１組を含む、請求項２０または２１のいずれか一項に記載のヒータプレート。
【請求項２３】
前記分散チャネルの数が前記主チャネルの数未満である、請求項２２に記載のヒータプレート。
【請求項２４】
前記マイクロチャネルが単一点から放射状に分散されている、請求項２０または２１のいずれか一項に記載のヒータプレート。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
プレイヤの操作に応じてビデオゲームの進行を制御するビデオゲーム装置であって、
前記ビデオゲームにおける場面に応じて有効な操作機能を識別可能に表示する表示手段と、
前記有効な操作機能を前記プレイヤ操作に基づいて切り替える切替手段とを含み、
前記表示手段は、操作入力部に配置されている複数の操作部と、前記有効な操作機能との対応関係を前記プレイヤに報知する操作部画像を、前記操作入力部における各操作部の配置位置に対応する配置でゲーム画面に表示し、
前記切替手段は、複数の設定と、各設定に対応する操作部および操作機能の対応関係を表す情報を参照し、有効な１つの設定を、プレイヤ操作に基づいて切り替え、
さらに、前記表示手段は、前記ゲーム画面における前記操作部画像の表示位置に対して所定の位置に、前記プレイヤからの設定切替操作を受け付けるための操作部を示す画像を表示する
ことを特徴とするビデオゲーム装置。
【請求項２】
前記切替手段は、前記ビデオゲームのプレイ中に入力されたプレイヤ操作に基づいて、前記有効な１つの設定を切り替える
請求項１記載のビデオゲーム装置。
【請求項３】
プレイヤの操作に応じてビデオゲームの進行を制御する機能をコンピュータに実現させるためのビデオゲーム処理プログラムであって、
前記コンピュータに、
前記ビデオゲームにおける場面に応じて有効な操作機能を識別可能に表示する表示機能と、
前記有効な操作機能を前記プレイヤ操作に基づいて切り替える切替機能とを実現させ、
前記表示機能にて、操作入力部に配置されている複数の操作部と、前記有効な操作機能との対応関係を前記プレイヤに報知する操作部画像を、前記操作入力部における各操作部の配置位置に対応する配置でゲーム画面に表示する機能を実現させ、
前記切替機能にて、複数の設定と、各設定に対応する操作部および操作機能の対応関係を表す情報を参照し、有効な１つの設定を、プレイヤ操作に基づいて切り替る機能を実現させ、
さらに、前記表示機能にて、前記ゲーム画面における前記操作部画像の表示位置に対して所定の位置に、前記プレイヤからの設定切替操作を受け付けるための操作部を示す画像を表示する機能を
実現させるためのビデオゲーム処理プログラム。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
先端部に信号送受信部が設けられ、回転および進退移動可能な駆動シャフトと、
前記駆動シャフトが挿入されるシースと、
前記シースの基端側に設けられた外管と、
前記外管内に進退移動可能に挿入される内側シャフトと、
前記シースの基端に連結され、前記シースおよび前記外管を接続する中継コネクタと、
前記駆動シャフトの外周に軸方向に沿って設けられ、前記駆動シャフトに連動して進退移動するサポートチューブと、
前記外管の基端側に設けられ前記内側シャフトを受容するように構成されたユニットコネクタと、
前記中継コネクタの内部に設けられ、前記中継コネクタおよび前記サポートチューブの間をシールするシール部材と、
前記中継コネクタに設けられ、前記シース内に液体を注入可能な注入口と、を有し、
前記駆動シャフトが回転しているときに、前記注入口において、前記サポートチューブが前記駆動シャフトを覆っている画像診断用カテーテル。
【請求項２】
前記信号送受信部は超音波振動子である請求項１に記載の画像診断用カテーテル。
【請求項３】
前記注入口は前記中継コネクタの前記軸方向の中央よりも基端側に配置される請求項１または２に記載の画像診断用カテーテル。
【請求項４】
前記中継コネクタの基端側に配置され前記駆動シャフトを回転および進退移動させるハブ内に設けられ、流体の基端側への移動を規制する封止部材を有する請求項１〜３のいずれか１項に記載の画像診断用カテーテル。
【請求項５】
前記注入口に連通するポートをさらに有し、
前記ポートは、前記軸方向に直交する方向から基端側に傾斜して構成される請求項１〜４のいずれか１項に記載の画像診断用カテーテル。
【請求項６】
前記注入口に連通して前記軸方向に沿って延在するチューブをさらに有する請求項１〜５のいずれか１項に記載の画像診断用カテーテル。